(57)【要約】【課題】  実装されるべき実装部品３１、３２の種類を容易に特定でき、それに基づく配置作業や検査作業を容易且つ正確にすること。【解決手段】  プリント基板２０に実装される部品のうち、機能が同一のもの（トランジスタ３１、３２）を同一種類部品群に分類する。同一種類部品群に属する実装部品３１、３２は、仕様が同一である同一仕様品群を構成するものと、外部の仕様は同一仕様品群に属する実装部品と同じであるが、内部の仕様が異なる同一外仕様異種内仕様品群を構成するものとする。各実装部品３１、３２を経線Ｘ毎に揃え、緯線Ｙ毎に違えてレイアウトする。【選択図】      図３
2005259974.tif 000002
【特許請求の範囲】
【請求項１】
複数の実装部品と、
各実装部品を実装する実装面を有するプリント基板と
を備え、
上記プリント基板の実装面には、当該実装部品のセンターのレイアウトを横方向に規定する経線と、この経線と直交して縦方向に各実装部品のセンターのレイアウトを規定する緯線とが設定されており、
上記実装部品は、機能が同一の同一種類部品群に属する実装部品を有し、
上記同一種類部品群は、仕様が同一の部品のグループである同一仕様品群と、外部仕様は同一使用品群の部品と同じであるが内部仕様が異なる部品のグループである同一外仕様異種内仕様品群とから構成されているプリント基板アッセンブリであって、
同一仕様品群に属する実装部品と、同一外仕様異種内仕様品群に属する実装部品とは、それぞれ経線と緯線との何れか一方に沿って分類されてレイアウトされていることを特徴とするプリント基板アッセンブリ。
【発明の詳細な説明】
【技術分野】
【０００１】
本発明はプリント基板アッセンブリに関する。
【背景技術】
【０００２】
一般に、携帯用高周波機器等の電子機器においては、プリント基板の部品実装面上に抵抗やコンデンサ等の実装部品を半田付けする構成が広く取られている。
【０００３】
上記実装部品の実装構造においては、通常、電気性能、環境性能、或いは高実装密度のため、二次元直交座標によって縦横の座標が設定されたレイアウト位置に各実装部品のセンターを沿わせていた（例えば特許文献１参照）。
【特許文献１】特開２００３−５１６５４号
【発明の開示】
【発明が解決しようとする課題】
【０００４】
近年、生産拠点のグローバル化に伴い、実装部品のプリント基板への実装作業は、自動機ではなく、手作業で行うことが要請されている。しかしながら、人手で実装作業を行う場合、上記観点でのレイアウトでは、一つ一つの座標毎に、多種類の中から特定の実装部品の品番を識別し、配置しなければならないので、人的要因による誤配列が生じやすいという問題があった。また、実装されるべき実装部品の種類を目視で識別することが困難になるため、検査作業も効率が悪かった。
【０００５】
本発明は上記課題に鑑みてなされたものであり、実装されるべき実装部品の種類を容易に特定でき、それに基づく配置作業や検査作業が容易且つ正確なプリント基板アッセンブリを提供することを課題としている。
【課題を解決するための手段】
【０００６】
上記課題を解決するために、本発明は、複数の実装部品と、各実装部品を実装する実装面を有するプリント基板とを備え、上記プリント基板の実装面には、当該実装部品のセンターのレイアウトを横方向に規定する経線と、この経線と直交して縦方向に各実装部品のセンターのレイアウトを規定する緯線とが設定されており、上記実装部品は、機能が同一の同一種類部品群に属する実装部品を有し、上記同一種類部品群は、仕様が同一の部品のグループである同一仕様品群と、外部仕様は同一使用品群の部品と同じであるが内部仕様が異なる部品のグループである同一外仕様異種内仕様品群とから構成されているプリント基板アッセンブリであって、同一仕様品群に属する実装部品と、同一外仕様異種内仕様品群に属する実装部品とは、それぞれ経線と緯線との何れか一方に沿って分類されてレイアウトされていることを特徴とするプリント基板アッセンブリである。
【発明の効果】
【０００７】
本発明によれば、経線と緯線とに沿って、同一種類部品群に属する実装部品を多数個実装するに当たり、作業者は、実装される実装部品が同一種類であっても、経線または緯線に基づいて、当該実装部品の品番を特定することが可能になる。従って、実装時には、迅速且つ正確に各実装部品を手作業で実装することができるとともに、検査時には、実装された実装部品の識別が容易になる。
【発明を実施するための最良の形態】
【０００８】
図１及び図２を参照して、プリント基板アッセンブリ１０は、基板２０と実装部品３０とを有している。
【０００９】
基板２０は、絶縁性を有するベース２１と、このベース２１上にプリントされた導電パターン２２と、この導電パターン２２のランド部２２ａを除いて導電パターン２２を被覆する半田レジスト層２３とを有している。図示の例において、半田レジスト層２３が形成されている面が、実装部品３０、３１、３２の実装面Ｓとなる。
【００１０】
図３を参照して、プリント基板２０の実装面Ｓには、経線Ｘと緯線Ｙとが設定されている。これら経線Ｘ及び緯線Ｙは、原則として等間隔で配列されており、実装面Ｓに対し、二次元の直交座標（Ｘ，Ｙ）を呈している。各実装部品３０、３１、３２は、図３から明らかなようにこれら直交座標（Ｘ，Ｙ）毎にそのセンターが揃うように実装されている。
【００１１】
各実装部品３０、３１、３２は、実装面に配置される本体３０ａと、本体３０ａから突出する電極３０ｂとを有している。電極３０ｂは、それぞれに設定されたランド部２２ａに面しており、周知のクリーム半田２４によって、導電パターン２２と電気的に接続されている。これにより、導電パターン２２と実装部品３０、３１、３２とは、所定の回路を構成している。
【００１２】
図１及び図３を参照して、上記実装部品３０、３１、３２は、トランジスタ、抵抗、コンデンサ等、当該プリント基板アッセンブリ１０に必要とされるチップ部品等を含んだ集合品の概念である。
【００１３】
ここで、図示の実施形態において、実装部品３０、３１、３２のうち、トランジスタ３１及びトランジスタ３２は、本実施形態において、同一種類部品群に属する実装部品である。
【００１４】
同一種類部品群は、機能が同一の実装部品のグループである。この同一種類部品群は、同一仕様品群と、同一外仕様異種内仕様品群からなる概念である。
【００１５】
同一仕様品群は、同一種類部品群のうち、仕様が同一である実装部品のグループである。
【００１６】
同一外仕様異種内仕様品群は、同一種類部品群のうち、外部の仕様は同一仕様品群に属する実装部品と同じであるが、内部の仕様が異なる実装部品のグループである。
【００１７】
なお、同一外仕様異種内仕様品群に属する実装部品の中で、さらに、仕様が異なる部品が含まれる場合には、他の仕様決定要因が許す限りにおいて、その部品群の中で同一仕様品群と同一外仕様異種内仕様品群とに分類することにより、全ての部品が階層的に何れかのグループに分類される。
【００１８】
図示の実施形態において、トランジスタ３１、３２は、何れか一方（例えば、品番ＡＪＲで特定されるトランジスタ３１）が、同一仕様品群に属する実装部品を構成しており、何れか他方（例えば、品番ＲＲで特定されるトランジスタ３２）が、同一外仕様異種内仕様品群を構成している。
【００１９】
図示の実施形態において、各トランジスタ３１、３２は、経線Ｘ毎に分類された状態でレイアウトが特定されている。トランジスタ３１は、高さがＹ３で特定される経線Ｘ（Ｙ３）上に揃えられている。他方、トランジスタ３２は、高さがＹ４で特定される経線Ｘ（Ｙ４）上に揃えられている。換言すれば、トランジスタ３１とトランジスタ３２とは、それぞれ緯線Ｙにおいて、高さＹ３の経線Ｘ（Ｙ３）と高さＹ４の経線Ｘ（Ｙ４）とで違えられている。
【００２０】
次に、以上の構成のプリント基板アッセンブリ１０を実装する作業について説明する。
【００２１】
作業者がトランジスタ３１、３２を実装する場合、作業者は、例えば品番ＡＪＲで特定されるトランジスタ３１を経線Ｘ（Ｙ３）に沿って実装していき、次いで、例えば品番ＲＲで特定されるトランジスタ３２を経線Ｘ（Ｙ４）に沿って実装することにより、多種類の品番で構成される同一種類部品群に属する実装部品（トランジスタ３１、３２）を種類毎に順番に実装することが可能になる。このため、実装時においては、トランジスタ３１、３２を取り違えるミスを可及的に防止することができるので、作業者は、正確且つ迅速にトランジスタ３１、３２を実装することができる。
【００２２】
他方、検査時において、作業者は、経線Ｘ（Ｙ３）、Ｘ（Ｙ４）毎にトランジスタ３１、３２をチェックしていけばよいので、同一種類部品群としての各トランジスタ３１、３２を検査する場合においても、その識別が正確且つ迅速になる。
【００２３】
上述した実施形態は本発明の具体例に過ぎず、本発明は上述した実施形態に限定されない。例えば、同一種類部品群は、トランジスタ３１、３２に限らず、抵抗やコンデンサ、その他のチップ部品であってもよい。
【００２４】
その他、本発明の特許請求の範囲内で種々の変更が可能であることはいうまでもない。
【図面の簡単な説明】
【００２５】
【図１】本発明の実施形態に係るプリント基板アッセンブリの平面略図である。
【図２】図１のプリント基板アッセンブリの一部を示す断面略図である。
【図３】図１のプリント基板アッセンブリの要部拡大図である。
【符号の説明】
【００２６】
１０  プリント基板アッセンブリ
２０  プリント基板
３０  実装部品
３１  トランジスタ（同一種類部品群、同一仕様部品群に属する実装部品の一例）
３２  トランジスタ（同一種類部品群、同一外仕様異種内仕様部品群に属する実装部品の一例）
Ｓ    実装面
【図１】
2005259974.tif 000003
【図２】
2005259974.tif 000004
【図３】
2005259974.tif 000005